(57)【要約】【課題】ユーザにとって利便性の高い浄水器を提供する。【解決手段】浄水器（１００）は、原水をろ過して浄水を生成する浄水カートリッジ（４０）と、浄水カートリッジ（４）で生成した浄水を出水する吐水口（８０）と、前記浄水を吐水口（８０）から出水又は止水するための第１開閉弁（５１）と、使用者の音声を取得する音声認識部（１３）と、取得した前記使用者の音声に基づいて第１開閉弁（５１）の開閉を制御する第１制御部（１１）と、を備える。【選択図】図１
2020124691.tif 000002
【特許請求の範囲】
【請求項１】
原水をろ過して浄水を生成する浄水カートリッジと、
前記浄水カートリッジで生成した浄水を出水する吐水口と、
前記浄水を前記吐水口から出水又は止水するための第１開閉弁と、
使用者の音声を取得する音声認識部と、
取得した前記使用者の音声に基づいて前記第１開閉弁の開閉を制御する第１制御部と、を備えることを特徴とする浄水器。
【請求項２】
前記使用者の音声を受け付けると、当該音声に応答する第２制御部をさらに備えることを特徴とする請求項１に記載の浄水器。
【請求項３】
前記吐水口から出水する出水量を調整するための第３開閉弁をさらに備え、
前記第１制御部は、取得した前記使用者の音声に基づいて出水量を特定し、前記吐水口から出水する浄水の量が、特定した前記出水量となるように前記第３開閉弁の開閉を制御することを特徴とする請求項１又は２に記載の浄水器。
【請求項４】
原水を前記吐水口から出水又は止水するための第２開閉弁をさらに備え、
前記第１制御部は、前記使用者の音声が原水から浄水に切り替える指示である場合、前記第２開閉弁を閉じ、前記第１開閉弁を開くように制御し、
前記第１制御部は、前記使用者の音声が浄水から原水に切り替える指示である場合、前記第１開閉弁を閉じ、前記第２開閉弁を開くように制御することを特徴とする請求項１〜３のいずれか１項に記載の浄水器。
【請求項５】
前記第１制御部は、前記使用者の音声が所定の量の浄水を計量する指示である場合、前記第１開閉弁の開閉時間に基づいて、前記吐水口から出水する浄水を所定の量とするように、前記第１開閉弁を制御することを特徴とする請求項１〜４のいずれか１項に記載の浄水器。
【請求項６】
原水及び浄水のうち少なくとも一方が通過する流量を計量する流量センサーをさらに備え、
前記第１制御部は、前記使用者の音声が所定の量の浄水を計量する指示である場合、前記流量センサーが計測した前記流量に基づいて、前記吐水口から出水する浄水を所定の量とするように、前記第１開閉弁を制御することを特徴とする請求項１〜５のいずれか１項に記載の浄水器。
【請求項７】
原水及び浄水のうち少なくとも一方が通過する流量を計量する流量センサーをさらに備え、
前記第１制御部は、前記使用者の音声が所定の量の浄水を計量する指示である場合、前記流量センサーが計測した前記流量に基づいて、前記吐水口から吐水する浄水量が前記所定の量に達するまでの予測時間を算出することを特徴とする請求項１〜５のいずれか１項に記載の浄水器。
【請求項８】
前記使用者に認識可能な情報を通知する第２制御部をさらに備え、
前記第２制御部は、前記予測時間に基づいて、予測時間の到達のタイミングを知らせることを特徴とする請求項７に記載の浄水器。
【請求項９】
前記第１制御部は、前記予測時間に基づいて、前記浄水を止水するように前記第１開閉弁を制御することを特徴とする請求項７又は８に記載の浄水器。
【請求項１０】
前記使用者の存在の有無を検知する人感センサーをさらに備え、
前記音声認識部は、前記人感センサーが前記使用者の存在を検知した場合、使用者の音声を取得するモードを開始することを特徴とする請求項１〜９のいずれか１項に記載の浄水器。
【請求項１１】
前記吐水口から吐水された水を受ける位置の物体の有無を検知するセンサーをさらに備え、
前記第１制御部は、前記センサーが前記物体の存在を検知した場合、前記吐水口から出水するように前記第１開閉弁を制御することを特徴とする請求項１〜１０のいずれか１項に記載の浄水器。
【請求項１２】
前記第１制御部は、前記流量センサーが計測した、前記浄水カートリッジが生成した浄水の積算生成量に基づいて、前記浄水カートリッジが浄水能力を維持可能な残りの期間を算出することを特徴とする請求項６〜９のいずれか１項に記載の浄水器。
【請求項１３】
前記浄水カートリッジを複数種類と、当該複数種類の浄水カートリッジで生成した浄水を、それぞれ、前記吐水口から出水又は止水するように、前記第１開閉弁を複数備える、請求項１〜１２のいずれか１項に記載の浄水器。
【請求項１４】
前記第１制御部は、前記使用者の音声が前記複数種類の前記浄水カートリッジのうちのいずれかの所定の浄水カートリッジで生成した浄水の吐水を指示する場合、前記所定の浄水カートリッジで生成した浄水を吐水するように前記第１開閉弁を制御することを特徴とする請求項１３に記載の浄水器。
【請求項１５】
前記第１制御部は、前記浄水カートリッジの種類を認識することを特徴とする請求項１３又は１４に記載の浄水器。
【請求項１６】
前記浄水カートリッジを複数種類と、当該複数種類の浄水カートリッジで生成した浄水を、それぞれ、前記吐水口から出水又は止水するように、前記第１開閉弁を複数備え、
前記第１制御部は、前記流量センサーが計測した、前記浄水カートリッジが生成した浄水の積算生成量に基づいて、前記複数種類の浄水カートリッジ毎に、各浄水カートリッジが浄水能力を維持可能な残りの期間を算出することを特徴とする請求項１２に記載の浄水器。
【請求項１７】
前記第１制御部は、前記使用者からの指示に基づく前記吐水口から前記浄水の出水をしていない間、前記複数種類の浄水カートリッジから前記吐水口まで接続する配管の内、前記複数種類の浄水カートリッジ各々に接続する配管が互いに交わった後、吐水口までの間に残る水を排水するように前記第１開閉弁の開閉を制御することを特徴とする請求項１３〜１６のいずれか１項に記載の浄水器。
【請求項１８】
前記使用者に認識可能な情報を通知する第２制御部をさらに備え、
前記第２制御部は、前記使用者に前記残りの期間を通知することを特徴とする請求項１２に記載の浄水器。
【請求項１９】
前記第１制御部は、前記積算生成量と、前記浄水カートリッジが浄水を生成した頻度を示すペース情報とに基づいて、前記残りの期間を算出する請求項１２又は１８に記載の浄水器。
【請求項２０】
前記使用者に認識可能な情報を通知する第２制御部をさらに備え、
前記第２制御部は、前記残りの期間を、自浄水器と通信可能な別体の端末装置に送信することを特徴とする請求項１９に記載の浄水器。
【請求項２１】
前記第１制御部は、前記浄水カートリッジの使用履歴を示す情報を、記憶部に記憶させることを特徴とする請求項１〜２０のいずれか１項に記載の浄水器。
【請求項２２】
前記音声認識部は、前記使用者の種類を認識することを特徴とする請求項１〜２１のいずれか１項に記載の浄水器。
【発明の詳細な説明】
【技術分野】
【０００１】
本発明は、浄水器に関する。
【背景技術】
【０００２】
従来、操作スイッチを押圧することにより浄水の吐水を制御する方法、及び赤外線センサーにより水栓下に手や鍋等の物体の存在を検知することにより浄水の吐水を制御する方法が知られている。
【０００３】
例えば、特許文献１には、操作スイッチを備え、この操作スイッチが使用者による手動又は自動操作によって操作されると、その操作信号がコントローラに送信される水栓装置が記載されている。
【０００４】
特許文献２には、電源と、該電源に接続される駆動回路と、該駆動回路に接続され給水用水栓を開閉して水流を制御する電磁弁と、該駆動回路に接続され該電磁弁開閉用の信号を該駆動回路に出力するスイッチ手段を備えた自動水栓が記載されている。
【先行技術文献】
【特許文献】
【０００５】
【特許文献１】特開２０１２−１５８８８１号公報
【特許文献２】特開平３−１３２５２９号公報
【発明の概要】
【発明が解決しようとする課題】
【０００６】
浄水使用時は、飲料用の浄水や料理用の浄水を得ることが目的であることから、通常手にカップや鍋等の容器を持っていることが想定され、両手が空いている状態での吐水操作は少ない。また、センサーを用いる上述のような従来技術は、センサーの感度に左右され、必ずしも使用者の意思通りに適正に反応してくれるとは限らず、カップや鍋等の容器に浄水を正確に入れられない場合があるという問題がある。
【０００７】
本発明の一態様は、ユーザにとって利便性のより高い浄水器を提供することを目的とする。
【課題を解決するための手段】
【０００８】
上記の課題を解決するために、本発明の一態様に係る浄水器は、原水をろ過して浄水を生成する浄水カートリッジと、前記浄水カートリッジで生成した浄水を出水する吐水口と、前記浄水を前記吐水口から出水又は止水するための第１開閉弁と、使用者の音声を取得する音声認識部と、取得した前記使用者の音声に基づいて前記第１開閉弁の開閉を制御する第１制御部と、を備える。
【発明の効果】
【０００９】
本発明の一態様によれば、ユーザにとって利便性のより高い浄水器を提供できる。
【図面の簡単な説明】
【００１０】
【図１】本発明の実施形態１に係る浄水器の構成を示す模式図である。
【図２】本発明の実施形態１に係る浄水器の記憶部に格納されているデータテーブルの構造を示す図である。
【図３】本発明の実施形態１に係る浄水器の動作のフローチャートを示す図である。
【図４】本発明の実施形態２に係る浄水器の構成を示す模式図である。
【図５】本発明の実施形態２に係る浄水器の記憶部に格納されているデータテーブルの構造を示す図である。
【図６】本発明の実施形態３に係る浄水器の構成を示す模式図である。
【発明を実施するための形態】
【００１１】
本発明の一態様に係る浄水器は、原水をろ過して浄水を生成する浄水カートリッジと、前記浄水カートリッジで生成した浄水を出水する吐水口と、前記浄水を前記吐水口から出水又は止水するための第１開閉弁と、使用者の音声を取得する音声認識部と、取得した前記使用者の音声に基づいて前記第１開閉弁の開閉を制御する第１制御部と、を備える。これにより、ユーザにとって利便性のより高い浄水器を提供できる。例えば、料理の場面では、お湯で手を洗いたかったり、浄水で野菜を洗いたかったり等、切り替えのタイミングが多い。そのため、音声だけで自動的に切り替えが行われるとユーザにとって操作性が向上する。
【００１２】
〔実施形態１〕
本発明の実施形態１に係る浄水器について、図１を参照して以下に説明する。図１は、本発明の一態様に係る浄水器１００の構成を示す模式図である。図１に示すように、浄水器１００は、制御部１０、記憶部２０、マイク３１、スピーカー３２、浄水カートリッジ４０、第１開閉弁５１、第３開閉弁５２、流量センサー６０、水道水元栓７０及び吐水口８０を備えている。なお、本実施形態では、原水は水道水であるものとして説明するが、これに限定されず、水道水以外の水を原水としてもよい。
【００１３】
制御部１０は、浄水器１００を制御するＣＰＵ（Central Processing Unit）である。制御部１０は、第１制御部１１、流量取得部１２、音声認識部１３及び第２制御部１４を備えている。
【００１４】
第１制御部１１は、音声認識部１３が取得した使用者の音声に基づいて、吐水口から浄水を出水又は止水するための各開閉弁を制御する。具体的には本実施形態では、第１制御部１１は、第１開閉弁５１の開閉を制御する。また、第１制御部１１は、使用者の音声に基づいて出水量を特定し、吐水口８０から出水する浄水の量が、特定した出水量となるように第３開閉弁５２の開閉を制御する。第１制御部１１は、使用者の音声の内容が記憶部２０に格納されているデータテーブル２１の音声情報に対応するか否かを判定する。第１制御部１１は、データテーブル２１から音声情報と関連付けられた制御情報を取得し、当該制御情報に基づいて浄水器１００を制御する。
【００１５】
流量取得部１２は、流量センサー６０から水道水及び浄水のうち少なくとも一方が通過する流量を取得する。
【００１６】
音声認識部１３は、マイク３１から使用者の音声を取得して、音声認識を行なう。以下、使用者の音声から音声認識によって取得した情報を「音声情報」ともいう。音声認識部１３は、使用者の種類を認識してもよい。例えば、声の特徴を示す情報と個人を識別するＩＤ等の情報とを関連付けて記憶しておき、認識した声から誰が使用者であるかを認識する。また、認識した使用者の種類に応じて、音声認識部１３による制御、第１制御部による制御、第２制御部による制御等を変更させてもよい。例えば、使用者に合わせてマイクの感度を調整してもよく、使用者の使用状況や使用者が指示に使用する言葉のくせを学習してもよい。浄水器１００は、時計機能を有していてもよく、時間帯によって使用状況を学習してもよい。これにより、子供等身長が低くマイクから離れてしまう使用者や、キッチン等で頻繁に作業する使用者の使用状況に合わせて適宜制御等を行うので、使用者がより使い易くなる。また、ＴＶ等の使用者の音声ではない他の音声による誤認識等の誤作動を少なくすることができる。また、使用者を制限することも可能となる。
【００１７】
第２制御部１４は、使用者の音声を受け付けると、当該音声に応答して使用者に認識可能な情報を通知する制御を行なう。例えば、第２制御部１４は、データテーブル２１を参照して、音声情報と関連付けられた、使用者に通知する情報を取得し、当該情報をスピーカー３２に通知させる。また、使用者に通知する情報は光であってもよく、第２制御部１４は、音声情報に基づいて、所定の色の光を発行するＬＥＤ（図示せず）を制御する。また、通知情報は音声、ＬＥＤの光に限定されず、他の光源を使用した光や、画像等であってもよい。画像の場合は、浄水器１００に液晶、有機ＥＬ等のディスプレイを設けて当該ディスプレイに表示されるとよい。
【００１８】
記憶部２０は、制御部１０が実行する処理に必要なデータを格納するメモリである。記憶部２０には、例えば、制御部１０のモード、データテーブル２１、浄水カートリッジ４０の浄水能力を維持可能な残りの期間、浄水カートリッジ４０が浄水を生成した頻度を示すペース情報、及び浄水カートリッジ４０の使用履歴を示す情報等が記憶されている。本実施形態では、記憶部２０は浄水器１００が備える形態について説明する。ただし、このような形態には限定されず、記憶部２０は浄水器１００とは外付けの記憶媒体であってもよく、インターネット接続されたサーバ、クラウド等であってもよい。制御部１０は、外部機器との通信接続により、記憶部２０に記憶されたデータを外部機器に送信してもよく、外部機器からデータを受信してもよい。
【００１９】
データテーブル２１は、使用者の音声から認識した認識言語と、第１制御部１１及び第２制御部１４が行なう制御内容を示す制御情報と、を関連付けているデータテーブルである。また、ペース情報は、第１開閉弁５１及び第３開閉弁５２の開閉の履歴を含む情報であってもよい。浄水カートリッジ４０の使用履歴を示す情報は、所定期間毎の浄水カートリッジが生成した浄水量を含む情報である。期間は、例えば、１日毎、１週間毎等であってもよいし、出水してから止水するまでの１回の使用毎であってもよい。また、使用者の音声によって期間が指定されてもよい。
【００２０】
図２は、データテーブル２１の構造を示す図である。図２は、音声認識部１３が認識した音声情報の内容を示す認識言語と制御情報とを関連付けている。制御情報としては、制御部１０のモード、第２制御部１４が使用者に対して通知するための制御を行なう応答言語、音声認識部１３が再度同一の音声情報を認識した場合に第２制御部１４が通知する再認識時の応答、第１制御部１１が制御する対象の開閉弁等のハード、第２制御部１４が制御する対象のＬＥＤの制御内容がある。また、「ハード」の情報には、当該ハードをどのように制御するかを示す情報が関連付けられている。例えば「第１開閉弁開」は、第１開閉弁を開く制御を示す制御情報である。
【００２１】
マイク３１は、使用者の音声を電気信号に変換して音声認識部１３に送信するものである。マイク３１は、防水性の観点、出水のノイズを拾うのを防止する観点、及び使用者の音声を拾い易い観点から、吐水口８０の上部に配置されることが好ましい。また、マイク３１は浄水器１００のその他の構成とは独立して持ち運びできるものであってもよい。例えば、使用者（特に、子供等の背の低い使用者）がマイク３１に向かって音声を発し易い観点、及び使用者が吐水口８０から離れていても操作ができる観点から、マイク３１は、無線で通信を行う持ち運び可能なワイヤレスマイクであってもよい。また、浄水器１００は、マイク３１の他に、使用者が意図する操作を指示するための操作スイッチを備えていてもよい。これにより、声を出し難い状況や状態で使用する場合や、浄水器１００の周囲の音が大きく音声認識部１３が音声の内容を認識できない場合であっても、使用者が浄水器１００に意図する操作を指示することができる。
【００２２】
スピーカー３２は、第２制御部１４から送信された音声情報を音声として外部に出力するものである。
【００２３】
浄水カートリッジ４０は、水道水から浄水を生成する装置である。浄水カートリッジ４０は水道水を浄化するものであればよく、例えば、水道水中の不純物をろ過するためのろ材であってもよい。ろ材としては、活性炭、中空糸等が挙げられる。
【００２４】
第１開閉弁５１は、浄水を吐水口８０から出水又は止水するための開閉弁である。第１開閉弁５１の配置は特に限定されず、結果的に浄水を吐水口８０から出水又は止水することができればよく、浄水カートリッジ４０の上流にあっても下流にあってもよいが、浄水カートリッジ４０に静圧がかからないよう、浄水カートリッジ４０の上流側に配置されることが好ましい。
【００２５】
定流量弁５０及び第３開閉弁５２は、吐水口８０から出水する浄水量を調整するための開閉弁である。定流量弁５０は開くと一定量の浄水を通過させる。第３開閉弁５２は、吐水口８０から出水する出水量を調整するための開閉弁である。第３開閉弁５２は通過させる浄水の流量を変化させることができる。第１開閉弁５１及び第３開閉弁５２は、例えば、電磁弁であることが好ましい。
【００２６】
流量センサー６０は、水道水及び浄水のうち少なくとも一方が通過する流量を計量するセンサーである。本実施形態においては、流量センサー６０は、原水が通過する流量を計量するセンサーである。流量センサー６０は、第１開閉弁５１と浄水カートリッジ４０との間に配置されている。つまり、流量センサー６０は、第１開閉弁５１と浄水カートリッジ４０との間を通過する水道水が通過する流量を取得する。本実施形態では、流量センサー６０は、水の流れる方向において、浄水カートリッジ４０の上流（前段）側に配置されているが、浄水カートリッジ４０の下流（後段）側に配置されていてもよい。つまり、流量センサー６０は、原水の流量を取得してもよいし、浄水の流量を取得してもよい。
【００２７】
浄水器１００は流量センサー６０を備えていても、備えていなくてもよい。浄水器１００が流量センサー６０を備えている場合、流路上の原水又は浄水の実際の流量を正確に計測することができる。細かな流量調整が必要なく、浄水器１００が流量センサー６０を備えていない場合、割と安価で簡単な構成とすることができる。
【００２８】
水道水元栓７０は、水道水供給路（図示せず）から供給される水道水を出水又は止水するための栓である。
【００２９】
吐水口８０は、浄水カートリッジ４０で生成した浄水を出水する開口部である。
【００３０】
（浄水器１００の動作）
図３に基づいて、浄水器１００の動作を説明する。図３は、浄水器１００の動作のフローを示す図である。
【００３１】
ステップＳ１において、音声認識部１３が、マイク３１に入力された音声を検知する。
【００３２】
ステップＳ２において、音声認識部１３が、検知した音声を認識処理する。音声認識部１３は、処理した音声の言葉を認識処理して、音声情報を生成する。音声認識部１３は音声情報を第１制御部１１及び第２制御部１４に供給する。音声認識部１３は、音声の内容を認識できなかった場合、第２制御部１４は、認識できなかったことを使用者に通知するように制御してもよい。例えば、図２に示すように、第２制御部１４は、スピーカー３２に「もう一度お願いします。」と、使用者に音声で通知させる。
【００３３】
ステップＳ３において、第１制御部１１は、音声認識部１３から取得した音声情報をデータテーブル２１と対比をする。まず第１制御部１１は、音声情報がデータテーブル２１の認識言語のいずれかに対応するか判定する。いずれかに対応すると判定した場合は、当該認識言語に対応付けられた他の情報を参照する。
【００３４】
例えば、図２に示すように、音声情報が「ハロー」である場合、制御部１０は、認識言語「ハロー」に関連付けられているモードは音声認識モードであると特定する。これにより、制御部１０は音声認識モードに移行する。音声認識モードは引き続いて使用者の浄水器１００に対する命令を受け付けるモードである。つまり、本実施形態では、使用者が「ハロー」という音声をマイク３１に向かって発せずに、別の命令を示す音声をマイク３１に発しても、浄水器１００は当該命令に基づく動作は行わない。
【００３５】
また、音声情報が「ハロー」である場合、第２制御部１４は、データテーブル２１を参照して、認識言語「ハロー」に関連付けられている応答言語は「ハロー」、「わかりました」、及び「お呼びでしょうか？」であると特定する。第２制御部１４は、データテーブル２１を参照して、認識言語「ハロー」に関連付けられている再認識時の応答は「お呼びでしょうか？」であると特定する。第２制御部１４は、データテーブル２１を参照して、認識言語「ハロー」に関連付けられているＬＥＤの制御はオレンジ色の光が点灯することであると特定する。
【００３６】
音声情報が「出して」である場合、制御部１０は、データテーブル２１を参照して、認識言語「出して」に関連付けられているモードは水を出すモードであると特定する。そして、制御部１０は水を出すモードに移行する。第１制御部１１は、データテーブル２１を参照して、認識言語「出して」に関連付けられている制御情報は「第１開閉弁開」であると特定する。「第１開閉弁開」は、第１開閉弁５１を開く制御を示す制御情報である。また、音声情報が「出して」である場合、第２制御部１４は、データテーブル２１を参照して、認識言語「出して」に関連付けられている応答言語は「出します。」であると特定する。第２制御部１４は、データテーブル２１を参照して、認識言語「出して」に関連付けられている再認識時の応答は「今、流しています。」であると特定する。第２制御部１４は、データテーブル２１を参照して、認識言語「出して」に関連付けられているＬＥＤの制御情報は「青点灯」であると特定する。「青点灯」は、ＬＥＤを青色の光に点灯させる制御を示す制御情報である。
【００３７】
音声情報が「大」又は「マッチ」である場合、制御部１０は、データテーブル２１を参照して、認識言語「大」及び「マッチ」に関連付けられているモードは水量を増やすモードであると特定する。そして、制御部１０は水量を増やすモードに移行する。第１制御部１１は、データテーブル２１を参照して、認識言語「大」及び「マッチ」に関連付けられている制御情報は「第３開閉弁開」であると特定する。「第３開閉弁開」は、第３開閉弁５２を開く制御を示す制御情報である。また、音声情報が「大」又は「マッチ」である場合、第２制御部１４は、データテーブル２１を参照して、認識言語「大」及び「マッチ」に関連付けられている応答言語は「わかりました。多くします。」であると特定する。第２制御部１４は、データテーブル２１を参照して、認識言語「大」及び「マッチ」に関連付けられている再認識時の応答は「今、多くしています。」であると特定する。第２制御部１４は、データテーブル２１を参照して、認識言語「大」及び「マッチ」に関連付けられているＬＥＤの制御情報は「青点滅」であると特定する。「青点滅」は、ＬＥＤを青色の光で点滅させる制御を示す制御情報である。
【００３８】
音声情報が「小」又は「リトル」である場合、制御部１０は、データテーブル２１を参照して、認識言語「小」及び「リトル」に関連付けられているモードは水量を減らすモードであると特定する。そして、制御部１０は水量を減らすモードに移行する。第１制御部１１は、データテーブル２１を参照して、認識言語「小」及び「リトル」に関連付けられている制御情報は「第３開閉弁閉」であると特定する。「第３開閉弁閉」は第３開閉弁を閉じる制御を示す制御情報である。また、音声情報が「小」又は「リトル」である場合、第２制御部１４は、データテーブル２１を参照して、認識言語「小」及び「リトル」に関連付けられている応答言語は「わかりました。少なくします。」であると特定する。第２制御部１４は、データテーブル２１を参照して、認識言語「小」及び「リトル」に関連付けられている再認識時の応答は「今、少なくしています。」であると特定する。第２制御部１４は、データテーブル２１を参照して、認識言語「小」及び「リトル」に関連付けられているＬＥＤの制御は「青点灯」であると特定する。
【００３９】
音声情報が「止めて」である場合、制御部１０は、データテーブル２１を参照して、認識言語「止めて」に関連付けられているモードは水を止めるモードであると特定する。そして、制御部１０は水を止めるモードに移行する。第１制御部１１は、データテーブル２１を参照して、認識言語「止めて」に関連付けられている制御情報は「第１開閉弁閉」であると特定する。「第１開閉弁閉」は第１開閉弁５１を閉じる制御を示す制御情報である。また、音声情報が「止めて」である場合、第２制御部１４は、データテーブル２１を参照して、認識言語「止めて」に関連付けられている応答言語は「止めます。」であると特定する。第２制御部１４は、データテーブル２１を参照して、認識言語「止めて」に関連付けられているＬＥＤの制御は「青消灯」であると特定する。「青消灯」は、ＬＥＤの青色の光を消灯させる制御を示す制御情報である。
【００４０】
音声情報が「確認」又は「使用量」である場合、制御部１０は、データテーブル２１を参照して、認識言語「確認」及び「使用量」に関連付けられているモードは使用量確認モードであると特定する。そして、制御部１０は使用量確認モードに移行する。第２制御部１４は、データテーブル２１を参照して、認識言語「確認」及び「使用量」に関連付けられている応答言語は「〜Ｌ使いました。」であると特定する。「〜」に対応する数値は流量取得部１２が流量センサー６０から取得した流量に基づけばよい。例えば、１Ｌ使用したことを示す情報を流量センサー６０から流量取得部１２が取得した場合は、「１Ｌ使いました。」という応答言語にすればよい。
【００４１】
音声情報が「リセット」である場合、制御部１０は、データテーブル２１を参照して、認識言語「リセット」に関連付けられているモードは使用量リセットモードであると特定する。そして、制御部１０は使用量リセットモードに移行する。また、音声情報が「リセット」である場合、第２制御部１４は、データテーブル２１を参照して、認識言語「リセット」に関連付けられている応答言語は「リセットしますか？」であると特定する。音声認識部１３が、音声情報が「リセット」であると認識した後に、音声情報が「はい」であると認識した場合、第２制御部１４は、認識言語「はい」に関連付けられている応答言語は「リセットします。」であると特定する。音声認識部１３が、音声情報が「リセット」であると認識した後に、音声情報が「いいえ」であると認識した場合、第２制御部１４は、認識言語「いいえ」に関連付けられている応答言語は「やめます。」であると特定する。
【００４２】
音声情報が「おやすみ」、「ありがとう」、又は「終了」である場合、制御部１０は、認識言語「おやすみ」、「ありがとう」、及び「終了」に関連付けられているモードは音声認識モード終了であると特定する。そして、制御部１０は、音声認識モード終了に移行する。第２制御部１４は、認識言語「おやすみ」、「ありがとう」、及び「終了」に関連付けられている応答言語は「終了します。」であると特定する。
【００４３】
音声認識部１３が認識処理した認識言語がデータテーブル２１に存在しない言葉であった場合、第２制御部１４は、認識できなかったことを使用者に通知する。例えば、第２制御部１４は、スピーカー３２に「もう一度お願いします。」と、使用者に音声で通知させる。
【００４４】
ステップＳ４において、ステップＳ３で参照して特定した制御情報に基づいて第１制御部１１および第２制御部１４はそれぞれ浄水器１００の構成要素を制御する。第１制御部１１は、音声認識部１３が認識処理した結果に基づいて開閉弁（第１開閉弁及び第３開閉弁）を制御する。また、第２制御部１４は、音声認識部１３が認識処理した結果に基づいて、使用者に、認識言語に関連付けられた情報を通知するように、スピーカー３２及びＬＥＤを制御する。
【００４５】
例えば、図２に示すように、音声情報が「ハロー」である場合、第１制御部１１は、浄水器１００に対する使用者の指示として使用者の音声の認識を開始する。また、第２制御部１４は、スピーカー３２に「ハロー」、「わかりました」、又は「お呼びでしょうか？」と、使用者に音声で通知させる。第２制御部１４は、ＬＥＤにオレンジ色の光を点滅させて、使用者に通知させる。音声認識部１３が、音声情報が「ハロー」であると再度認識した場合、第２制御部１４は、スピーカー３２に「お呼びでしょうか？」と、使用者に音声で通知させる。
【００４６】
例えば、音声情報が「出して」であった場合にステップＳ３で特定した制御情報に基づいて第１制御部１１および第２制御部１４は次の制御を行なう。第１制御部１１は、浄水を出すように制御する。つまり、第１制御部１１は、第１開閉弁５１を開くように制御する。また、第２制御部１４は、スピーカー３２を「出します。」という音声を出力するように制御する。また、第２制御部１４は、ＬＥＤに青色の光を点灯させて、使用者に通知する。音声認識部１３が、音声情報が「出して」であると再度認識した場合、第２制御部１４は、スピーカー３２に「今、流しています。」と、使用者に音声で通知させる。その後、１０分以内にマイク３１に入力された音声を音声認識部１３が検知しなかった場合、及び１０分以内に音声認識部１３が使用者の音声を取得したものの、１０分以内に音声認識部１３が、音声情報がデータテーブル２１の認識言語であると認識しなかった場合、第１制御部１１は、浄水を止めるように制御する。つまり、第１制御部１１は、第１開閉弁５１を閉じるように制御する。
【００４７】
また、音声情報が「大」又は「マッチ」であった場合にステップＳ３で特定した制御情報に基づいて第１制御部１１および第２制御部１４は次の制御を行なう。第１制御部１１は、吐水口８０から出水する浄水量を増やすように制御する。つまり、第１制御部１１は、第３開閉弁を開くように制御する。また、第２制御部１４は、スピーカー３２に「わかりました。多くします。」と、使用者に音声で通知させる。第２制御部１４は、ＬＥＤに青色の光を点滅させて、使用者に通知する。音声認識部１３が、音声情報が「大」又は「マッチ」であると再度認識した場合、第２制御部１４は、スピーカー３２に「今、多くしています。」と、使用者に音声で通知させる。
【００４８】
また、音声情報が「小」又は「リトル」であった場合にステップＳ３で特定した制御情報に基づいて第１制御部１１および第２制御部１４は次の制御を行なう。第１制御部１１は、制御情報「第３開閉弁閉」に基づいて吐水口８０から出水する浄水量を減らすように制御する。つまり、第１制御部１１は、第３開閉弁を閉じるように制御する。また、第２制御部１４は、スピーカー３２に「わかりました。少なくします。」と、使用者に音声で通知させる。第２制御部１４は、ＬＥＤに青色の光を点灯させて、使用者に通知する。音声認識部１３が、音声情報が「小」又は「リトル」であると再度認識した場合、第２制御部１４は、スピーカー３２に「今、少なくしています。」と、使用者に音声で通知させる。
【００４９】
また、音声情報が「止めて」であった場合にステップＳ３で特定した制御情報に基づいて第１制御部１１および第２制御部１４は次の制御を行なう。第１制御部１１は、浄水を止めるように制御する。つまり、第１制御部１１は、第１開閉弁５１を閉じるように制御する。また、第２制御部１４は、スピーカー３２に「止めます。」と、使用者に音声で通知させる。第２制御部１４は、ＬＥＤに青色の光を消灯させて、使用者に通知する。
【００５０】
また、音声情報が「確認」又は「使用量」であった場合にステップＳ３で特定した制御情報に基づいて第２制御部１４は次の制御を行なう。第２制御部１４は、流量センサー６０から浄水カートリッジが生成した浄水の積算生成量を取得し、当該積算生成量に基づいて、スピーカー３２に「〜Ｌ使いました。」と、使用者に音声で通知させる。なお、流量センサー６０を備えていない場合、ペース情報に基づいて流速を例えば３Ｌ／分として積算生成量を算出してもよい。
【００５１】
また、音声情報が「リセット」であった場合にステップＳ３で特定した制御情報に基づいて第２制御部１４は次の制御を行なう。第２制御部１４は、スピーカー３２に「リセットしますか？」と使用者に音声で通知させる。その後、１分以内に音声認識部１３が、音声情報が「はい」であると認識した場合、第２制御部１４は、スピーカー３２に「リセットします。」と使用者に音声で通知させる。そして、第１制御部１１は、音声認識部１３が、音声情報が「リセット」及び「はい」であると認識したときから今回認識したときまでの期間における浄水カートリッジ４０が生成した浄水量を記憶部２０に記憶させる。音声認識部１３が、音声情報が「いいえ」であると認識した場合、第２制御部１４は、スピーカー３２に「やめます。」と使用者に音声で通知させる。１分以内にマイク３１に入力された音声を音声認識部１３が検知しなかった場合、及び１分以内に音声認識部１３が音声情報を取得したものの、１分以内に音声認識部１３が、音声情報が応答言語「はい」又は「いいえ」であると認識しなかった場合、使用量リセットのモードを終了する。
【００５２】
また、音声情報が「おやすみ」、「ありがとう」、又は「終了」である場合、音声認識部１３が、音声情報がデータテーブル２１にある言語（「ハロー」を除く）であると認識したとしても、制御部１０は、上述した制御を行なわない。そして、第２制御部１４は、スピーカー３２に「終了します。」と使用者に音声で通知させる。また、第２制御部１４は、ＬＥＤにオレンジ色の光を消灯させて、使用者に通知させる。
【００５３】
（ステップＳ４における第１制御部１１のその他の動作）
第１制御部１１は、使用者の音声が所定の量の浄水を計量する指示である場合、第１開閉弁５１の開閉時間に基づいて、吐水口８０から出水する浄水を所定の量とするように、第１開閉弁５１を制御する。
【００５４】
第１制御部１１は、使用者の音声が所定の量の浄水を計量する指示である場合、流量センサー６０が計測した流量に基づいて、吐水口８０から出水する浄水を所定の量とするように、第１開閉弁５１を制御する。また、第１制御部１１は、当該流量に基づいて、吐水口８０から吐水する浄水量が所定の量に達するまでの予測時間を算出する。第１制御部１１は、予測時間に基づいて、浄水を止水するように第１開閉弁５１を制御する。また、第１制御部１１は、前述のような予測時間に基づく制御ではなく、流量センサー６０が計測した実際の流量に基づいて、吐出口８０から出水する浄水が所定の量となるように制御してもよい。この場合、例えば、第１制御部１１は流量センサー６０が計測した流量に基づいて、所定の量に達したか否かを認識して、達すれば第１開閉弁５１を制御するなどしてもよい。また、流量計の実測値（実測の流量）より、所定流量を算出（計測）し、止水を制御する方法の他、報知手段（カウンター）と流量センサーとの組み合わせにより吐水量を表示し、所望の吐水量となったことをカウンターで確認し、使用者が止水を指示してもよい。
【００５５】
浄水器１００は、吐水口８０から吐水された水を受ける位置の物体の有無を検知するセンサーを備えていてもよい。当該センサーとしては、例えば、赤外線センサー等が挙げられる。第１制御部１１は、センサーが物体の存在を検知した場合、吐水口８０から出水するように第１開閉弁５１を制御する。
【００５６】
第１制御部１１は、流量センサー６０が計測した、浄水カートリッジ４０が生成した浄水の積算生成量に基づいて、浄水カートリッジ４０が浄水能力を維持可能な残りの期間を算出する。第１制御部１１は、当該残りの期間を定期的（例えば、１週間毎、１ヵ月毎等）に算出する。前記第１制御部は、さらに浄水カートリッジが浄水を生成した頻度を示すペース情報に基づいて、当該残りの期間を算出してもよい。
【００５７】
第１制御部１１は、算出したり取得したりした、残りの期間、ペース情報、及び浄水カートリッジの使用履歴を示す情報等を、記憶部２０に記憶させる。このような形態において、記憶部２０は、インターネット接続されたサーバー、クラウドサーバー等であってもよい。クラウドサーバー等、外部サーバーに記憶させることにより、使用者は、例えばスマートホン等、別の端末等で容易に管理することができる。
【００５８】
浄水器１００によれば、例えば、お湯で手を洗いたかったり、浄水で野菜を洗いたかったり等、切り替えのタイミングが多い料理の場面等の場面において、音声だけで自動的に切り替えが行うことができるため、ユーザにとって操作性が向上する。
【００５９】
（ステップＳ４における第２制御部のその他の動作）
第２制御部１４は、第１制御部１１が算出した予測時間に基づいて、予測時間の到達のタイミングを知らせる。第２制御部１４は、第１制御部１１が算出した残りの期間が所定の期間（例えば、残り１ヵ月等）を切った場合、使用者に当該残りの期間を通知する。第２制御部１４は、当該残りの期間を、自浄水器と通信可能な別体の端末装置に送信してもよい。
【００６０】
このように、浄水器１００、使用者の音声により制御部１０が開閉弁等の操作を行なうため、使用者は手を使用することなく浄水を出水及び止水することができ、衛生を保つことができる。また、使用者の手が塞がっているときでも浄水を出水及び止水することができる。使用者は、音声により意思通りに浄水器１００を操作することができる。
【００６１】
（変形例）
本実施形態では、音声情報が「ハロー」である場合、制御部１０は、認識言語「ハロー」に関連付けられているモードは音声認識モードであると特定して音声認識モードに移行する形態について説明したが、このような形態に限定されない。例えば、音声認識モードへの移行は、人感センサーによって行なってもよい。つまり、本発明の一態様に係る浄水器１００は、使用者の存在の有無を検知する人感センサーをさらに備え、音声認識部１３は、人感センサーが使用者の存在を検知した場合、使用者の音声を取得するモードを開始してもよい。人感センサーは、例えば、吐水口８０付近の使用者の存在の有無を検知する。吐水口８０付近の範囲はあらかじめ設定しておけばよく、例えば、吐水口８０の半径１ｍ以内や、使用者が使用時に通常存在する方向の範囲を設定してもよい。浄水器１００が人感センサーを備えることにより、誤動作の防止すること、及び使用者が止水の指示をし忘れても自動的に止水することができる。これにより、必要以上に吐水しないようにすることができるため、浄水カートリッジ４０が浄水能力を維持可能な残りの期間を無駄に減らすことを防止することができる。
【００６２】
〔実施形態２〕
本発明の実施形態２に係る浄水器について、図４を参照して以下に説明する。なお、説明の便宜上、上記実施形態にて説明した部材と同じ機能を有する部材については、同じ符号を付記し、その説明を繰り返さない。
【００６３】
図４は、本発明の一態様に係る浄水器２００の構成を示す模式図である。図４に示すように、浄水器２００は、第２開閉弁２５３、湯水元栓７１、及び第４開閉弁２５７をさらに備えている。また、浄水器２００は、制御部１０の代わりに制御部２１０、記憶部２０の代わりに記憶部２２０、流量センサー６０の代わりに流量センサー２６０、及び吐水口８０の代わりに吐水口２８０を備えている点で浄水器１００と異なる。なお、本実施形態においては、浄水器２００は、水道水、湯水、及び浄水を切り替えることができるが、本発明はこれに限定されない。例えば、湯水を吐水せず、水道水と浄水とを切り替えて吐水する構成でもよいし、水道水を吐水せず、湯水と浄水とを切り替えて吐水する構成でもよい。
【００６４】
第２開閉弁２５３は、水道水を吐水口２８０から出水又は止水するための開閉弁である。第２開閉弁２５３の配置は特に限定されず、結果的に水道水を吐水口２８０から出水又は止水することができればよい。
【００６５】
湯水元栓７１は、湯水供給路（図示せず）から供給される湯水を出水又は止水するための栓である。
【００６６】
第４開閉弁２５７は、湯水を吐水口２８０から出水又は止水するための開閉弁である。第４開閉弁２５７の配置は特に限定されず、結果的に湯水を吐水口２８０から出水又は止水することができればよい。
【００６７】
制御部２１０は、第１制御部１１の代わりに第１制御部２１１を、流量取得部１２の代わりに流量取得部２１２を備えている点で制御部１０と異なる。
【００６８】
第１制御部２１１は、第１制御部１１が行なう制御に加えて、音声認識部１３が取得した使用者の音声に基づいて第２開閉弁２５３及び第４開閉弁２５７の開閉を制御する。例えば、第１制御部２１１が第２開閉弁２５３及び第４開閉弁２５７を同時に開くように制御することにより、水道水と湯水との混合水を吐水口２８０から吐出することができる。
【００６９】
流量取得部２１２は、流量センサー２６０から水道水が通過する流量を取得する。流量取得部２１２は、水道水元栓７０と第１開閉弁５１との間に配置されている。つまり、流量取得部２１２は、水道水元栓７０と第１開閉弁５１との間を通過する水道水が通過する流量を取得する。
【００７０】
記憶部２２０は、データテーブル２２１を記憶している。
【００７１】
図５は、データテーブル２２１の構造を示す図である。図５に示すように、データテーブル２２１はデータテーブル２１と同様に使用者の音声から認識した認識言語と、第１制御部１１及び第２制御部１４が行なう制御内容を示す制御情報と、を関連付けているデータテーブルである。原水と浄水とをそれぞれ出水させたり止水させたりするための制御情報等が含まれる点でデータテーブル２１と異なる。
【００７２】
流量センサー２６０は、水道水元栓７０と第１開閉弁５１との間に配置されている。
【００７３】
吐水口２８０は、浄水カートリッジ４０で生成した浄水又は水道水を出水する開口部である。浄水器２００は、少なくとも１つの吐水口２８０を備えていればよく、単数であっても複数であってもよい。例えば、浄水が吐水する浄水用の吐水口と、水道水が吐水する水道水用の吐水口とを備えていてもよい。
【００７４】
（浄水器２００の動作）
図３に示すステップＳ１およびステップＳ２は本実施形態でも同様に行う。ステップＳ３において、例えば、図５に示すように、音声情報が「浄水出して」又は「お水出して」である場合、制御部２１０は、データテーブル２２１を参照して、認識言語「浄水出して」及び「お水出して」に関連付けられているモードは水を出すモードであると特定する。そして、制御部２１０は水を出すモードに移行する。
【００７５】
音声情報が「浄水出して」である場合、第１制御部２１１は、データテーブル２２１を参照して、認識言語「浄水出して」に関連付けられている制御情報は「第１開閉弁開、第２開閉弁閉」であると特定する。「第１開閉弁開、第２開閉弁閉」は、第１開閉弁５１を開き、第２開閉弁２５３を閉じる制御を示す制御情報である。また、音声情報が「浄水出して」である場合、第２制御部１４は、データテーブル２２１を参照して、認識言語「浄水出して」に関連付けられている応答言語は「浄水ですね。わかりました。」であると特定する。第２制御部１４は、データテーブル２２１を参照して、認識言語「浄水出して」に関連付けられている再認識時の応答は「今、流しています。」であると特定する。第２制御部１４は、データテーブル２２１を参照して、認識言語「浄水出して」に関連付けられているＬＥＤの制御情報は「青点灯」であると特定する。
【００７６】
音声情報が「お水出して」である場合、第１制御部２１１は、データテーブル２２１を参照して、認識言語「お水出して」に関連付けられている制御情報は「第１開閉弁閉、第２開閉弁開」であると特定する。「第１開閉弁閉、第２開閉弁開」は、第１開閉弁５１を閉じ、第２開閉弁２５３を開く制御を示す制御情報である。また、音声情報が「お水出して」である場合、第２制御部１４は、データテーブル２２１を参照して、認識言語「お水出して」に関連付けられている応答言語は「お水ですね。わかりました。」であると特定する。第２制御部１４は、データテーブル２２１を参照して、認識言語「お水出して」に関連付けられている再認識時の応答は「今、流しています。」であると特定する。第２制御部１４は、データテーブル２２１を参照して、認識言語「お水出して」に関連付けられているＬＥＤの制御情報は「青点灯」であると特定する。
【００７７】
音声情報が「浄水止めて」又は「お水止めて」である場合、制御部２１０は、データテーブル２２１を参照して、認識言語「浄水止めて」及び「お水止めて」に関連付けられているモードは水を止めるモードであると特定する。そして、制御部１０は水を止めるモードに移行する。
【００７８】
音声情報が「浄水止めて」である場合、第１制御部２１１は、データテーブル２２１を参照して、認識言語「浄水止めて」に関連付けられている制御情報は「第１開閉弁閉」であると特定する。「第１開閉弁閉」は上述の通り第１開閉弁５１を閉じる制御を示す制御情報である。また、音声情報が「浄水止めて」である場合、第２制御部１４は、データテーブル２２１を参照して、認識言語「浄水止めて」に関連付けられている応答言語は「浄水を止めます。」であると特定する。第２制御部１４は、データテーブル２２１を参照して、認識言語「浄水止めて」に関連付けられているＬＥＤの制御情報は「青消灯」であると特定する。
【００７９】
音声情報が「お水止めて」である場合、第１制御部２１１は、データテーブル２２１を参照して、認識言語「お水止めて」に関連付けられている制御情報は「第２開閉弁閉」であると特定する。「第２開閉弁閉」は第２開閉弁２５３を閉じる制御を示す制御情報である。また、音声情報が「お水止めて」である場合、第２制御部１４は、データテーブル２２１を参照して、認識言語「お水止めて」に関連付けられている応答言語は「お水を止めます。」であると特定する。第２制御部１４は、データテーブル２２１を参照して、認識言語「お水止めて」に関連付けられているＬＥＤの制御は青色の光が消灯することであると特定する。
【００８０】
ステップＳ４において、ステップＳ３で参照した制御情報に基づいて第１制御部２１１および第２制御部１４はそれぞれ浄水器１００の構成要素を制御する。
【００８１】
例えば、音声情報が「浄水出して」であった場合にステップＳ３で特定した制御情報に基づいて第１制御部２１１および第２制御部１４は次の制御を行なう。第１制御部２１１は、浄水を出すように制御する。つまり、第１制御部２１１は、第１開閉弁５１を開くように制御する。また、第２制御部１４は、スピーカー３２に「浄水ですね。わかりました。」と、使用者に音声で通知させる。また、第２制御部１４は、ＬＥＤに青色の光を点灯させて、使用者に通知する。音声認識部１３が、音声情報が「浄水出して」であると再度認識した場合、第２制御部１４は、スピーカー３２に「今、流しています。」と、使用者に音声で通知させる。その後、１０分以内にマイク３１に入力された音声を音声認識部１３が検知しなかった場合、及び１０分以内に音声認識部１３が使用者の音声を取得したものの、１０分以内に音声認識部１３が、音声情報がデータテーブル２２１の認識言語であると認識しなかった場合、第１制御部２１１は、浄水を止めるように制御する。つまり、第１制御部２１１は、第１開閉弁５１を閉じるように制御する。
【００８２】
また、音声情報が「お水出して」であった場合にステップＳ３で特定した制御情報に基づいて第１制御部２１１および第２制御部１４は次の制御を行なう。第１制御部２１１は、水道水を出すように制御する。つまり、第１制御部２１１は、第２開閉弁２５３を開くように制御する。また、第２制御部１４は、スピーカー３２に「お水ですね。わかりました。」と、使用者に音声で通知させる。また、第２制御部１４は、ＬＥＤに青色の光を点灯させて、使用者に通知する。音声認識部１３が、音声情報が「お水出して」であると再度認識した場合、第２制御部１４は、スピーカー３２に「今、流しています。」と、使用者に音声で通知させる。その後、１０分以内にマイク３１に入力された音声を音声認識部１３が検知しなかった場合、及び１０分以内に音声認識部１３が使用者の音声を取得したものの、１０分以内に音声認識部１３が、音声情報がデータテーブル２２１の認識言語であると認識しなかった場合、第１制御部２１１は、浄水を止めるように制御する。つまり、第１制御部２１１は、第１開閉弁５１を閉じるように制御する。
【００８３】
音声認識部１３が、音声情報「お水出して」を認識した後に、音声情報「浄水出して」を認識した場合、第１制御部２１１は、水道水から浄水に切り替えるように制御する。つまり、第１制御部２１１は、使用者の音声が水道水から浄水に切り替える指示である場合、第２開閉弁２５３を閉じ、第１開閉弁５１を開くように制御する。また、音声認識部１３が、音声情報「浄水出して」を認識した後に、音声情報「お水出して」を認識した場合、第１制御部２１１は、浄水から水道水に切り替えるように制御する。つまり、第１制御部２１１は、使用者の音声が浄水から水道水に切り替える指示である場合、第１開閉弁５１を閉じ、第２開閉弁２５３を開くように制御する。
【００８４】
また、音声情報が「浄水止めて」であった場合にステップＳ３で特定した制御情報に基づいて第１制御部２１１および第２制御部１４は次の制御を行なう。第１制御部２１１は、浄水を止めるように制御する。つまり、第１制御部２１１は、第１開閉弁５１を閉じるように制御する。また、第２制御部１４は、スピーカー３２に「浄水を止めます。」と、使用者に音声で通知させる。第２制御部１４は、ＬＥＤに青色の光を消灯させて、使用者に通知する。
【００８５】
また、音声情報が「お水止めて」であった場合にステップＳ３で特定した制御情報に基づいて第１制御部２１１および第２制御部１４は次の制御を行なう。第１制御部２１１は、水道水を止めるように制御する。つまり、第１制御部２１１は、第２開閉弁２５３を閉じるように制御する。また、第２制御部１４は、スピーカー３２に「水道水を止めます。」と、使用者に音声で通知させる。第２制御部１４は、ＬＥＤに青色の光を消灯させて、使用者に通知する。
【００８６】
なお、本実施形態においては浄水を止める指示である「浄水止めて」と水道水を止める指示である「お水止めて」とが別々の指示であるものとして説明したが、これに限定されない。例えば、認識言語「止めて」に第１制御部２１１が第１開閉弁５１及び第２開閉弁２５３を閉じる制御が関連付けられていてもよい。この場合、吐水口２８０から出水している水が浄水であっても水道水であっても、止水することができる。
【００８７】
〔実施形態３〕
本発明の実施形態３に係る浄水器について、図６を参照して以下に説明する。なお、説明の便宜上、上記実施形態にて説明した部材と同じ機能を有する部材については、同じ符号を付記し、その説明を繰り返さない。
【００８８】
本実施形態では、浄水カートリッジを複数種類と、当該複数種類の浄水カートリッジで生成した浄水を、それぞれ、吐水口から出水又は止水するように、第１開閉弁を複数備える。そして、第１制御部は、使用者の音声が複数種類の浄水カートリッジのうちのいずれかの所定の浄水カートリッジで生成した浄水の吐水を指示する場合、所定の浄水カートリッジで生成した浄水を吐水するように第１開閉弁を制御する。
【００８９】
図６は、本発明の一態様に係る浄水器３００の構成を示す模式図である。図６に示すように、制御部２１０の代わりに制御部３１０、浄水カートリッジ４０の代わりにお茶用カートリッジ３４１、炊飯用カートリッジ３４２、及び出汁用カートリッジ３４３、第１開閉弁５１の代わりに第１開閉弁３５４、３５５、３５６を備えている点で浄水器２００と異なる。つまり、浄水器３００は、浄水カートリッジを複数種類と、当該複数種類の浄水カートリッジで生成した浄水を、それぞれ、吐水口２８０から出水又は止水するように、第１開閉弁を複数備えている。
【００９０】
制御部３１０は、第１制御部２１１の代わりに第１制御部３１１を備えている点で制御部２１０と異なる。
【００９１】
第１制御部３１１は、音声認識部１３が取得した使用者の音声に基づいて第１開閉弁３５４、３５５、３５６の開閉を制御する。
【００９２】
お茶用カートリッジ３４１は、水道水からお茶用の浄水を生成する装置である。炊飯用カートリッジ３４２は、水道水から炊飯用の浄水を生成する装置である。出汁用カートリッジ３４３は、水道水から出汁用の浄水を生成する装置である。各浄水カートリッジはこれらの用途に限定されず、使用者が所望する種類の浄水カートリッジを適宜選択すればよい。第１制御部３１１は、浄水カートリッジの種類を認識する。各浄水カートリッジは、種類により異なるコネクタ、ＩＣチップ、ＲＦタグ等のタグを備えていてもよい。第１制御部３１１は、浄水カートリッジのタグにより、浄水カートリッジの種類を認識してもよい。特にＲＦタグはカートリッジ内に埋め込むことも可能であり、水回りの製品としては好適である。第１制御部３１１は、各浄水カートリッジの交換時にＲＦタグ等により種類を認識して、適切な種類の浄水カートリッジが設置されたか否かを判定してもよい。交換時にカートリッジ種類を認識・自動設定可能とするとカートリッジ種の設定ミスを防止できる。
【００９３】
第１開閉弁３５４は、お茶用の浄水を吐水口２８０から出水又は止水するための開閉弁である。第１開閉弁３５５は、炊飯用の浄水を吐水口２８０から出水又は止水するための開閉弁である。第１開閉弁３５６は、出汁用の浄水を吐水口２８０から出水又は止水するための開閉弁である。
【００９４】
（浄水器３００の動作）
ステップＳ１〜Ｓ３までは、第１制御部３１１の制御対象の第１開閉弁が異なる以外は同様の処理を行う。なお、第２制御部１４の処理はカートリッジの種類等に応じて、例えば、音声や光の色を変える等の処理を行ってもよい。
【００９５】
ステップＳ４において、第１制御部３１１は、使用者の音声が複数種類の浄水カートリッジ（お茶用カートリッジ３４１、炊飯用カートリッジ３４２、及び出汁用カートリッジ３４３）のうちのいずれかの所定の浄水カートリッジで生成した浄水の吐水を指示する場合、当該所定の浄水カートリッジで生成した浄水を吐水するように第１開閉弁３５４、３５５、３５６を制御する。
【００９６】
例えば、音声情報がお茶用カートリッジ３４１で生成したお茶用の浄水の吐水を指示する場合、第１制御部３１１は、お茶用の浄水を出すように制御する。つまり、第１制御部３１１は、第１開閉弁３５４を開き、第２開閉弁２５３及び第１開閉弁３５５、３５６を閉じるように制御する。
【００９７】
音声情報が炊飯用カートリッジ３４２で生成した炊飯用の浄水の吐水を指示する場合、第１制御部３１１は、炊飯用の浄水を出すように制御する。つまり、第１制御部３１１は、第１開閉弁３５５を開き、第２開閉弁２５３及び第１開閉弁３５４、３５６を閉じるように制御する。
【００９８】
音声情報が出汁用カートリッジ３４３で生成した出汁用の浄水の吐水を指示する場合、第１制御部３１１は、お茶用の浄水を出すように制御する。つまり、第１制御部３１１は、第１開閉弁３５６を開き、第２開閉弁２５３及び第１開閉弁３５４、３５５を閉じるように制御する。
【００９９】
第１制御部３１１は、流量センサー２６０が計測した、浄水カートリッジ３４１、３４２、３４３が生成した浄水の積算生成量に基づいて、複数種類の浄水カートリッジ毎に、各浄水カートリッジが浄水能力を維持可能な残りの期間を算出してもよい。
【０１００】
また、浄水カートリッジを他の浄水カートリッジに切り替える場合、浄水カートリッジ３４１、３４２、３４３各々に接続する配管が互いに交わった後、吐水口２８０までの間に切り替える前の浄水カートリッジが生成した浄水が残るという問題がある。
【０１０１】
上記の課題を解決するために、第１制御部３１１は、使用者からの指示に基づく吐水口２８０から浄水の出水をしていない間、複数種類の浄水カートリッジから吐水口２８０まで接続する配管の内、複数種類の浄水カートリッジ３４１、３４２、３４３各々に接続する配管が互いに交わった後、吐水口までの間に残る水を排水するように第１開閉弁３５４、３５５、３５６の開閉を制御してもよい。
【０１０２】
例えば、使用者の音声が他の浄水カートリッジに切り替える指示の場合、流量センサー２６０が計測した流量に基づいて、吐水口２８０から吐水する浄水量が所定の量に達するまでの予測時間を算出してもよい。所定の量は、複数種類の浄水カートリッジ３４１、３４２、３４３各々に接続する配管が互いに交わった後、吐水口までの間の量以上である。第２制御部１４は、予測時間に基づいて、予測時間の到達のタイミングを知らせてもよい。このとき、第１制御部３１１は、所定の量に達したときに一旦止水するように第１開閉弁３５４、３５５、３５６の開閉を制御してもよい。その後、第２制御部１４が吐水を開始する旨を知らせた後に、第１制御部３１１は、吐水を開始するように第１開閉弁３５４、３５５、３５６の開閉を制御してもよい。また、第１制御部３１１が一旦止水させるように制御せずに、第２制御部１４が所定の量に達して前回使用した浄水カートリッジが生成した浄水の排水を完了した旨を知らせてもよい。
【０１０３】
原水から浄水に切り替える場合も、同様には配管に残る水を排水するように第１開閉弁３５４、３５５、３５６の開閉を制御してもよい。
【０１０４】
また、上記の課題を解決するための別の方法として、吐水口２８０までの配管を別々にしてもよい。
【０１０５】
浄水カートリッジを他の浄水カートリッジに切り替える場合、原水から浄水に切り替える場合だけでなく、浄水器１００の使用開始時に、初めに所定の量の原水又は浄水を排水してもよい。第１制御部３１１及び第２制御部１４が行なう制御は、上述した制御と同様である。
【０１０６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０７】
〔付記事項〕
以上のように本発明に係る浄水器の一態様では、前記使用者の音声を受け付けると、当該音声に応答する第２制御部をさらに備えることがより好ましい。
【０１０８】
また、本発明に係る浄水器の一態様では、前記吐水口から出水する出水量を調整するための第３開閉弁をさらに備え、前記第１制御部は、取得した前記使用者の音声に基づいて出水量を特定し、前記吐水口から出水する浄水の量が、特定した前記出水量となるように前記第３開閉弁の開閉を制御することがより好ましい。
【０１０９】
また、本発明に係る浄水器の一態様では、原水を前記吐水口から出水又は止水するための第２開閉弁をさらに備え、前記第１制御部は、前記使用者の音声が原水から浄水に切り替える指示である場合、前記第２開閉弁を閉じ、前記第１開閉弁を開くように制御し、前記第１制御部は、前記使用者の音声が浄水から原水に切り替える指示である場合、前記第１開閉弁を閉じ、前記第２開閉弁を開くように制御することがより好ましい。
【０１１０】
また、本発明に係る浄水器の一態様では、前記第１制御部は、前記使用者の音声が所定の量の浄水を計量する指示である場合、前記第１開閉弁の開閉時間に基づいて、前記吐水口から出水する浄水を所定の量とするように、前記第１開閉弁を制御することがより好ましい。
【０１１１】
また、本発明に係る浄水器の一態様では、原水及び浄水のうち少なくとも一方が通過する流量を計量する流量センサーをさらに備え、前記第１制御部は、前記使用者の音声が所定の量の浄水を計量する指示である場合、前記流量センサーが計測した前記流量に基づいて、前記吐水口から所定の量の浄水を出水するように、前記第１開閉弁を制御することがより好ましい。
【０１１２】
また、本発明に係る浄水器の一態様では、原水及び浄水のうち少なくとも一方が通過する流量を計量する流量センサーをさらに備え、前記第１制御部は、前記使用者の音声が所定の量の浄水を計量する指示である場合、前記流量センサーが計測した前記流量に基づいて、前記吐水口から吐水する浄水量が前記所定の量に達するまでの予測時間を算出することがより好ましい。
【０１１３】
また、本発明に係る浄水器の一態様では、前記使用者に認識可能な情報を通知する第２制御部をさらに備え、前記第２制御部は、前記予測時間に基づいて、予測時間の到達のタイミングを知らせることがより好ましい。
【０１１４】
また、本発明に係る浄水器の一態様では、前記第１制御部は、前記予測時間に基づいて、前記浄水を止水するように前記第１開閉弁を制御することがより好ましい。
【０１１５】
また、本発明に係る浄水器の一態様では、前記使用者の存在の有無を検知する人感センサーをさらに備え、前記音声認識部は、前記人感センサーが前記使用者の存在を検知した場合、使用者の音声を取得するモードを開始することがより好ましい。
【０１１６】
また、本発明に係る浄水器の一態様では、前記吐水口から吐水された水を受ける位置の物体の有無を検知するセンサーをさらに備え、前記第１制御部は、前記センサーが前記物体の存在を検知した場合、前記吐水口から出水するように前記第１開閉弁を制御することがより好ましい。
【０１１７】
また、本発明に係る浄水器の一態様では、前記浄水カートリッジを複数種類と、当該複数種類の浄水カートリッジで生成した浄水を、それぞれ、前記吐水口から出水又は止水するように、前記第１開閉弁を複数備えることがより好ましい。
【０１１８】
また、本発明に係る浄水器の一態様では、前記第１制御部は、前記使用者の音声が前記複数種類の前記浄水カートリッジのうちのいずれかの所定の浄水カートリッジで生成した浄水の吐水を指示する場合、前記所定の浄水カートリッジで生成した浄水を吐水するように前記第１開閉弁を制御することがより好ましい。
【０１１９】
また、本発明に係る浄水器の一態様では、前記第１制御部は、前記浄水カートリッジの種類を認識することがより好ましい。
【０１２０】
また、本発明に係る浄水器の一態様では、前記浄水カートリッジを複数種類と、当該複数種類の浄水カートリッジで生成した浄水を、それぞれ、前記吐水口から出水又は止水するように、前記第１開閉弁を複数備え、前記第１制御部は、前記流量センサーが計測した、前記浄水カートリッジが生成した浄水の積算生成量に基づいて、前記複数種類の浄水カートリッジ毎に、各浄水カートリッジが浄水能力を維持可能な残りの期間を算出することがより好ましい。
【０１２１】
また、本発明に係る浄水器の一態様では、前記第１制御部は、前記使用者からの指示に基づく前記吐水口から前記浄水の出水をしていない間、前記複数種類の浄水カートリッジから前記吐水口まで接続する配管の内、前記複数種類の浄水カートリッジ各々に接続する配管が互いに交わった後、吐水口までの間に残る水を排水するように前記第１開閉弁の開閉を制御することがより好ましい。
【０１２２】
また、本発明に係る浄水器の一態様では、前記第１制御部は、前記流量センサーが計測した、前記浄水カートリッジが生成した浄水の積算生成量に基づいて、前記浄水カートリッジが浄水能力を維持可能な残りの期間を算出することがより好ましい。
【０１２３】
また、本発明に係る浄水器の一態様では、前記使用者に認識可能な情報を通知する第２制御部をさらに備え、前記第２制御部は、前記使用者に前記残りの期間を通知することがより好ましい。
【０１２４】
また、本発明に係る浄水器の一態様では、前記第１制御部は、前記積算生成量と、前記浄水カートリッジが浄水を生成した頻度を示すペース情報とに基づいて、前記残りの期間を算出することがより好ましい。
【０１２５】
また、本発明に係る浄水器の一態様では、前記使用者に認識可能な情報を通知する第２制御部をさらに備え、前記第２制御部は、前記残りの期間を、自浄水器と通信可能な別体の端末装置に送信することがより好ましい。
【０１２６】
また、本発明に係る浄水器の一態様では、前記第１制御部は、前記浄水カートリッジの使用履歴を示す情報を、記憶部に記憶させることがより好ましい。
【０１２７】
また、本発明に係る浄水器の一態様では、前記音声認識部は、前記使用者の種類を認識することがより好ましい。
【産業上の利用可能性】
【０１２８】
本発明は、例えば家庭用の浄水器等に利用することができる。
【符号の説明】
【０１２９】
１０    制御部
１１    第１制御部
１３    音声認識部
１４    第２制御部
２０    記憶部
４０    浄水カートリッジ
５１    第１開閉弁
５２    第３開閉弁
６０    流量センサー
８０    吐水口
１００  浄水器
【図１】
2020124691.tif 000003
【図２】
2020124691.tif 000004
【図３】
2020124691.tif 000005
【図４】
2020124691.tif 000006
【図５】
2020124691.tif 000007
【図６】
2020124691.tif 000008